(57)【要約】【課題】間接税を確実に徴収でき、該間接税の徴収に伴う遊技者や遊技場の面倒を解消すること。【解決手段】遊技用価値加算手段３，５００と、間接税用価値加算手段３，５００と、遊技使用処理手段３と、間接税率記憶手段１００と、間接税用価値減算手段１００と、を備え、前記遊技使用処理手段３は、受付けた遊技用記録媒体に記録されていると間接税の支払いに使用される間接税用価値の大きさを特定可能な間接税用価値特定情報により特定される間接税用価値の大きさが、間接税率記憶手段１００に記憶されている間接税率に基づいて算出された、遊技使用処理手段３における遊技用価値使用処理に使用される遊技用価値の大きさに対応する間接税用価値の大きさ以上であることを条件として遊技使用処理を行う。【選択図】    図１２
2004344548.tif 000002
【特許請求の範囲】
【請求項１】
遊技に使用可能な遊技用価値の大きさを特定可能な遊技用価値特定情報と間接税の支払いに使用される間接税用価値の大きさを特定可能な間接税用価値特定情報とが記録された遊技用記録媒体および貨幣を受付けて、該受付けた貨幣金額の範囲内の所定額に相当する遊技用価値の大きさを、前記受付けた遊技用記録媒体に記録されている遊技用価値特定情報により特定される遊技用価値の大きさに加算更新し、該加算更新後の新たな遊技用価値の大きさを前記遊技用価値特定情報から特定可能とするための遊技用価値加算処理を行う遊技用価値加算手段と、
前記遊技用記録媒体および貨幣を受付けて、該受付けた貨幣金額の範囲内の所定額に相当する間接税用価値の大きさを、前記受付けた遊技用記録媒体に記録されている間接税用価値特定情報により特定される間接税用価値の大きさに加算更新し、該加算更新後の新たな間接税用価値の大きさを前記間接税用価値特定情報から特定可能とするための間接税用価値加算処理を行う間接税用価値加算手段と、前記遊技用記録媒体を受付け、該受付けた遊技用記録媒体に記録されている前記遊技用価値特定情報により特定される遊技用価値の大きさの少なくとも一部を遊技に使用させるとともに、該遊技に使用された遊技用価値の大きさを、前記受付けた遊技用記録媒体に記録された遊技用価値特定情報により特定される遊技用価値の大きさから減算更新し、該減算更新後の新たな遊技用価値の大きさを前記遊技用価値特定情報から特定可能とするための遊技使用処理を行う遊技使用処理手段と、
間接税率を特定可能な情報を記憶するための間接税率記憶手段と、
該間接税率記憶手段に記憶された間接税率を特定可能な情報に基づいて、前記遊技使用処理手段にて遊技に使用される遊技用価値の大きさに対応する間接税用価値の大きさを算出し、該算出した間接税用価値の大きさを、前記間接税用価値特定情報により特定される間接税用価値の大きさから減算更新し、該減算更新後の新たな間接税用価値の大きさを前記間接税用価値特定情報から特定可能とするための間接税用価値減算処理を行う間接税用価値減算手段と、
を備え、
前記遊技使用処理手段は、前記受付けた遊技用記録媒体に記録されている間接税用価値特定情報により特定される間接税用価値の大きさが、前記算出された間接税用価値の大きさ以上であることを条件として前記遊技使用処理を行うことを特徴とする遊技用システム。
【請求項２】
前記間接税用価値特定情報により特定される間接税用価値の大きさが前記算出された間接税用価値の大きさ未満であるときに、前記遊技使用処理が行われない旨を報知する報知手段を備える請求項１に記載の遊技用システム。
【請求項３】
遊技に使用可能な遊技用価値の大きさを特定可能な遊技用価値特定情報と間接税の支払いに使用される間接税用価値の大きさを特定可能な間接税用価値特定情報とが記録された遊技用記録媒体および貨幣を受付けて、該受付けた貨幣金額の範囲内の所定額に相当する遊技用価値の大きさを、前記受付けた遊技用記録媒体に記録されている遊技用価値特定情報により特定される遊技用価値の大きさに加算更新し、該加算更新後の新たな遊技用価値の大きさを前記遊技用価値特定情報から特定可能とするための遊技用価値加算処理を行う遊技用価値加算手段と、
前記遊技用記録媒体および貨幣を受付けて、該受付けた貨幣金額の範囲内の所定額に相当する間接税用価値の大きさを、前記受付けた遊技用記録媒体に記録されている間接税用価値特定情報により特定される間接税用価値の大きさに加算更新し、該加算更新後の新たな間接税用価値の大きさを前記間接税用価値特定情報から特定可能とするための間接税用価値加算処理を行う間接税用価値加算手段と、前記遊技用記録媒体を受付け、該受付けた遊技用記録媒体に記録されている前記遊技用価値特定情報により特定される遊技用価値の大きさの少なくとも一部を遊技に使用させるとともに、該遊技に使用された遊技用価値の大きさを、前記受付けた遊技用記録媒体に記録された遊技用価値特定情報により特定される遊技用価値の大きさから減算更新し、該減算更新後の新たな遊技用価値の大きさを前記遊技用価値特定情報から特定可能とするための遊技使用処理を行う遊技使用処理手段と、
間接税率を特定可能な情報を記憶するための間接税率記憶手段と、
該間接税率記憶手段に記憶された間接税率を特定可能な情報に基づいて、前記遊技使用処理手段にて遊技に使用される遊技用価値の大きさに対応する間接税用価値の大きさを算出し、該算出した間接税用価値の大きさを、前記間接税用価値特定情報により特定される間接税用価値の大きさから減算更新し、該減算更新後の新たな間接税用価値の大きさを前記間接税用価値特定情報から特定可能とするための間接税用価値減算処理を行う間接税用価値減算手段と、
前記遊技用価値加算処理を行うときに、前記間接税率記憶手段に記憶された間接税率を特定可能な情報に基づいて該遊技用価値加算処理に供される遊技用価値の大きさに対応する間接税用価値の大きさを算出し、前記間接税用価値特定情報により特定される間接税用価値の大きさが、前記算出した間接税用価値の大きさ以上であるか否かを判定する判定手段と、
を備え、
前記遊技用価値加算手段は、該判定手段により前記間接税用価値特定情報により特定される間接税用価値の大きさが、前記算出された間接税用価値の大きさ以上であると判定されたことを条件として、前記遊技用価値加算処理を行うことを特徴とする遊技用システム。
【請求項４】
前記判定手段により、前記間接税用価値特定情報により特定される間接税用価値の大きさが、前記算出された間接税用価値の大きさ未満であると判定されたときに、前記算出された間接税用価値の大きさと前記間接税用価値特定情報により特定される間接税用価値の大きさとの差を報知する必要間接税用価値報知手段を備える請求項３に記載の遊技用システム。
【請求項５】
前記間接税率記憶手段に記憶されている間接税率を特定可能な情報を設定変更するための設定変更手段を備える請求項１〜４のいずれかに記載の遊技用システム。
【請求項６】
前記遊技用記録媒体を受付けて、該受付けた遊技用記録媒体に記録されている遊技用価値特定情報から特定される遊技用価値の大きさの少なくとも一部に相当する金額の貨幣を払出すとともに、該受付けた遊技用記録媒体に記録されている間接税用価値特定情報から特定される間接税用価値の大きさの少なくとも一部に相当する金額の貨幣を払出す精算処理を行う精算手段を備える請求項１〜５のいずれかに記載の遊技用システム。
【請求項７】
前記間接税用価値減算手段により減算された間接税用価値の大きさを集計する集計手段と、該集計された間接税用価値の大きさを遊技場外に設置された管理機関に出力するための出力手段と、を備える請求項１〜６のいずれかに記載の遊技用システム。
【発明の詳細な説明】
【０００１】
【発明の属する技術の分野】
本発明は、遊技場に設置され、ビジターカード等の遊技用記録媒体を用いて遊技を行うことのできる遊技用システムに関する。
【０００２】
【従来の技術】
近年、遊技場においては貨幣等の回収労力の低減とともに、経営の透明性向上を目的として、ビジターカード等の遊技用記録媒体を用いて遊技を行うことのできる遊技用システムが多く使用されている。
【０００３】
これら従来の遊技用システムにおいては、遊技者が間接税である消費税等の端数金額を取り扱う不便を解消することを目的として、これら消費税を遊技場側が肩代わりする形態に対応したものとされ、遊技者が１０００円のビジターカードを購入した場合には、１０００円の全てを遊技に使用できるようにされていたが、これら遊技場側の一方的な間接税負担の問題を解消することを目的として、例えば、発行済みのカードに入金する場合において、カードに残存する残金額の精算時に使用金額に応じた消費税を徴収したり、或いは、入金時に当該入金額に応じた消費税を予め徴収しておき、精算時に遊技に使用しなかったカードに残存する残金額に応じた消費税額を返却する記録媒体精算システムが提案されている。（例えば、特許文献１参照）
【０００４】
【特許文献１】
特開２００２  −３４６２００号公報  （第７〜８頁、第７図、第１４図）
【０００５】
【発明が解決しようとする課題】
これら間接税額を徴収する前記の記録媒体精算システムにおいては、入金時に間接税である消費税を徴収せずに、精算時において使用金額に応じた消費税を徴収する場合には、遊技者が精算を実施しない限り消費税を徴収することができないばかりか、精算時に徴収する消費税額以上の残金額が存在しない場合には、徴収するべき消費税の全額を徴収できなくなってしまうという問題があり、また、入金時に当該入金額に応じた消費税を予め徴収しておき、精算時に遊技に使用しなかったカードに残存する残金額に応じた消費税額を返却する場合には、入金時において消費税分の少額貨幣を別途投入する必要があり、遊技者にとっては面倒であるとともに、遊技場にとっても、これら少額貨幣の回収や釣銭等の用意や補充を随時実施しなくてはならないという面倒な作業が生じてしまうという問題があった。
【０００６】
よって、本発明は上記した問題点に着目してなされたもので、消費税等の間接税を確実に徴収できるとともに、これら消費税等の間接税の徴収に伴う遊技者や遊技場の面倒を解消することのできる遊技用システムを提供することを目的としている。
【０００７】
【課題を解決するための手段】
前記した問題を解決するために、本発明の遊技用システムは、遊技に使用可能な遊技用価値の大きさを特定可能な遊技用価値特定情報と間接税の支払いに使用される間接税用価値の大きさを特定可能な間接税用価値特定情報とが記録された遊技用記録媒体および貨幣を受付けて、該受付けた貨幣金額の範囲内の所定額に相当する遊技用価値の大きさを、前記受付けた遊技用記録媒体に記録されている遊技用価値特定情報により特定される遊技用価値の大きさに加算更新し、該加算更新後の新たな遊技用価値の大きさを前記遊技用価値特定情報から特定可能とするための遊技用価値加算処理を行う遊技用価値加算手段と、
前記遊技用記録媒体および貨幣を受付けて、該受付けた貨幣金額の範囲内の所定額に相当する間接税用価値の大きさを、前記受付けた遊技用記録媒体に記録されている間接税用価値特定情報により特定される間接税用価値の大きさに加算更新し、該加算更新後の新たな間接税用価値の大きさを前記間接税用価値特定情報から特定可能とするための間接税用価値加算処理を行う間接税用価値加算手段と、前記遊技用記録媒体を受付け、該受付けた遊技用記録媒体に記録されている前記遊技用価値特定情報により特定される遊技用価値の大きさの少なくとも一部を遊技に使用させるとともに、該遊技に使用された遊技用価値の大きさを、前記受付けた遊技用記録媒体に記録された遊技用価値特定情報により特定される遊技用価値の大きさから減算更新し、該減算更新後の新たな遊技用価値の大きさを前記遊技用価値特定情報から特定可能とするための遊技使用処理を行う遊技使用処理手段と、
間接税率を特定可能な情報を記憶するための間接税率記憶手段と、
該間接税率記憶手段に記憶された間接税率を特定可能な情報に基づいて、前記遊技使用処理手段にて遊技に使用される遊技用価値の大きさに対応する間接税用価値の大きさを算出し、該算出した間接税用価値の大きさを、前記間接税用価値特定情報により特定される間接税用価値の大きさから減算更新し、該減算更新後の新たな間接税用価値の大きさを前記間接税用価値特定情報から特定可能とするための間接税用価値減算処理を行う間接税用価値減算手段と、
を備え、
前記遊技使用処理手段は、前記受付けた遊技用記録媒体に記録されている間接税用価値特定情報により特定される間接税用価値の大きさが、前記算出された間接税用価値の大きさ以上であることを条件として前記遊技使用処理を行うことを特徴としている。
この特徴によれば、間接税用価値減算手段により、遊技に使用される遊技用価値の大きさに対応する間接税額が相当する間接税用価値の大きさが前記間接税用価値特定情報より特定される間接税用価値の大きさから減算更新されるとともに、該間接税用価値特定情報より特定される間接税用価値の大きさが、算出された間接税用価値の大きさ以上であることを条件として遊技使用処理が行われるので、間接税用価値減算手段による間接税用価値の減算が不能となることが回避されるために間接税を確実に徴収できるばかりか、間接税用価値加算手段を備えることで間接税用価値を予め加算（入金）しておくことができることから、遊技用価値加算処理に際して少額貨幣を別途投入する必要がなく、これら間接税の回収に伴う遊技者や遊技場の面倒を解消することができる。
【０００８】
本発明の遊技用システムは、前記間接税用価値特定情報により特定される間接税用価値の大きさが前記算出された間接税用価値の大きさ未満であるときに、前記遊技使用処理が行われない旨を報知する報知手段を備えることが好ましい。
このようにすれば、間接税用価値の大きさが算出された間接税用価値の大きさ未満であるために遊技使用処理が行われないことを遊技者に確実に認識させることができる。
【０００９】
本発明の遊技用システムは、遊技に使用可能な遊技用価値の大きさを特定可能な遊技用価値特定情報と間接税の支払いに使用される間接税用価値の大きさを特定可能な間接税用価値特定情報とが記録された遊技用記録媒体および貨幣を受付けて、該受付けた貨幣金額の範囲内の所定額に相当する遊技用価値の大きさを、前記受付けた遊技用記録媒体に記録されている遊技用価値特定情報により特定される遊技用価値の大きさに加算更新し、該加算更新後の新たな遊技用価値の大きさを前記遊技用価値特定情報から特定可能とするための遊技用価値加算処理を行う遊技用価値加算手段と、
前記遊技用記録媒体および貨幣を受付けて、該受付けた貨幣金額の範囲内の所定額に相当する間接税用価値の大きさを、前記受付けた遊技用記録媒体に記録されている間接税用価値特定情報により特定される間接税用価値の大きさに加算更新し、該加算更新後の新たな間接税用価値の大きさを前記間接税用価値特定情報から特定可能とするための間接税用価値加算処理を行う間接税用価値加算手段と、前記遊技用記録媒体を受付け、該受付けた遊技用記録媒体に記録されている前記遊技用価値特定情報により特定される遊技用価値の大きさの少なくとも一部を遊技に使用させるとともに、該遊技に使用された遊技用価値の大きさを、前記受付けた遊技用記録媒体に記録された遊技用価値特定情報により特定される遊技用価値の大きさから減算更新し、該減算更新後の新たな遊技用価値の大きさを前記遊技用価値特定情報から特定可能とするための遊技使用処理を行う遊技使用処理手段と、
間接税率を特定可能な情報を記憶するための間接税率記憶手段と、
該間接税率記憶手段に記憶された間接税率を特定可能な情報に基づいて、前記遊技使用処理手段にて遊技に使用される遊技用価値の大きさに対応する間接税用価値の大きさを算出し、該算出した間接税用価値の大きさを、前記間接税用価値特定情報により特定される間接税用価値の大きさから減算更新し、該減算更新後の新たな間接税用価値の大きさを前記間接税用価値特定情報から特定可能とするための間接税用価値減算処理を行う間接税用価値減算手段と、
前記遊技用価値加算処理を行うときに、前記間接税率記憶手段に記憶された間接税率を特定可能な情報に基づいて該遊技用価値加算処理に供される遊技用価値の大きさに対応する間接税用価値の大きさを算出し、前記間接税用価値特定情報により特定される間接税用価値の大きさが、前記算出した間接税用価値の大きさ以上であるか否かを判定する判定手段と、
を備え、
前記遊技用価値加算手段は、該判定手段により前記間接税用価値特定情報により特定される間接税用価値の大きさが、前記算出された間接税用価値の大きさ以上であると判定されたことを条件として、前記遊技用価値加算処理を行うことを特徴としている。
この特徴によれば、間接税用価値減算手段により、遊技に使用される遊技用価値の大きさに対応する間接税額が相当する間接税用価値の大きさが間接税用価値特定情報より特定される間接税用価値の大きさから減算更新されるとともに、該間接税用価値特定情報より特定される間接税用価値の大きさが、算出された遊技用価値加算処理に供される遊技用価値の大きさに対応する間接税用価値の大きさ以上であることを条件として遊技用価値加算処理が行われるので、間接税用価値減算手段による間接税用価値の減算が不能となることが回避されるために間接税を確実に徴収できるばかりか、間接税用価値加算手段を備えることで間接税用価値を予め加算（入金）しておくことができることから、遊技用価値加算処理に際して少額貨幣を別途投入する必要がなく、これら間接税の回収に伴う遊技者や遊技場の面倒を解消することができる。
【００１０】
本発明の遊技用システムは、前記判定手段により、前記間接税用価値特定情報により特定される間接税用価値の大きさが、前記算出された間接税用価値の大きさ未満であると判定されたときに、前記算出された間接税用価値の大きさと前記間接税用価値特定情報により特定される間接税用価値の大きさとの差を報知する必要間接税用価値報知手段を備えることが好ましい。
このようにすれば、遊技用価値加算処理に必要な間接税用価値が不足していることに加えて、該不足している間接税用価値の大きさを遊技者に確実に認識させることができる。
【００１１】
本発明の遊技用システムは、前記間接税率記憶手段に記憶されている間接税率を特定可能な情報を設定変更するための設定変更手段を備えることが好ましい。
このようにすれば、間接税率が変更されても、設定変更手段にて間接税率を特定可能な情報を適宜に変更できるため、間接税率の変化にも対応することができる。
【００１２】
本発明の遊技用システムは、前記遊技用記録媒体を受付けて、該受付けた遊技用記録媒体に記録されている遊技用価値特定情報から特定される遊技用価値の大きさの少なくとも一部に相当する金額の貨幣を払出すとともに、該受付けた遊技用記録媒体に記録されている間接税用価値特定情報から特定される間接税用価値の大きさの少なくとも一部に相当する金額の貨幣を払出す精算処理を行う精算手段を備えることが好ましい。
このようにすれば、遊技者は、遊技用記録媒体に残存する遊技用価値の大きさ並びに間接税用価値の大きさを貨幣に戻すことができるようになり、遊技者の利便性、特には、再度当該遊技場に来場する予定のない遊技者の利便性を向上できる。
【００１３】
本発明の遊技用システムは、前記間接税用価値減算手段により減算された間接税用価値の大きさを集計する集計手段と、該集計された間接税用価値の大きさを遊技場外に設置された管理機関に出力するための出力手段と、を備えることが好ましい。
このようにすれば、遊技場にて徴収された間接税用価値の大きさが管理機関により管理されるようになるため、脱税防止を図ることができる。
【００１４】
【発明の実施の形態】
（実施例１）
本実施例１の遊技用システムは、図１並びに図２に示すように、遊技場において複数配置された遊技島に並設される遊技機であるカードリーダ式パチンコ機（以下パチンコ機）２と、該パチンコ機２に対して１対１に対応設置され、会員カードおよびビジターカードに遊技用価値である度数を追加入金する遊技用価値加算処理機能、並びに間接税の支払いに使用される間接税価値を追加入金する間接税価値加算処理機能とを有するとともに、該会員カードおよびビジターカードに残存する遊技用価値である度数を遊技に使用させるための遊技使用処理を行う遊技使用処理手段としてのカードユニット３と、当該遊技場にて発行された会員カードおよびビジターカードに遊技用価値である度数を追加入金する遊技用価値加算処理機能、並びに間接税の支払いに使用される間接税価値を追加入金する間接税価値加算処理機能とを有する入金機５００と、該ビジターカードや前記会員カードに残存する遊技用価値である度数や間接税価値を現金に精算する精算処理を行う精算手段としての精算装置４００と、前記カードユニット３にて使用される後述の会員カード並びにビジターカードに残存する度数や間接税価値である税用残額の管理や、税用残額からの消費税額の減算処理や、使用された遊技用価値である使用履歴に基づいて間接税価値である税用残額から減算徴収された間接税である消費税の徴収総額等の算出処理や、消費税の税率設定の変更処理等を行う間接税率記憶手段、間接税用価値減算手段、設定変更手段、集計手段としてのシステムコントローラ１００と、前記会員カードを所持する会員遊技者に関する情報を管理する会員管理コンピュータ１２０と、から主に構成されており、前記システムコントローラ１００、会員管理コンピュータ１２０、カードユニット３、入金機５００、並びに精算装置４００とはハブ（ＨＵＢ）８’並びに通信ケーブル８を介して双方向のデータ通信可能に接続されていて、各接続機器にはそれぞれローカルＩＰアドレスが付与されてローカルエリアネットワーク（ＬＡＮ）が形成されている。
【００１５】
また、前記システムコントローラ１００は、通信回線１１を介して第三者機関であるカード管理会社に設置された管理サーバ（図示略）と双方向のデータ通信を実施できるように接続されていて、該システムコントローラ１００にて営業終了後の閉店処理にて集計された一日の使用度数と消費税の徴収総額とが管理サーバ（図示略）に送信されて管理されるようになっている。
【００１６】
初めに、本実施例１にて用いた遊技用記録媒体について説明すると、本実施例１では予め会員登録をした会員遊技者に対して発行される遊技用記録媒体である会員カードと、図示しないカード発行機にて発行されるビジターカードの２種類のＩＣカードを遊技用記録媒体として用いている。
【００１７】
まず、本発明の遊技用記録媒体としての会員カードについて説明すると、この会員カードには、カードユニット３内に設けられている後述のカードリーダライタ３２７と非接触にてデータ通信を行うことが可能な非接触式ＩＣカードが適用されており、その内部メモリには、各会員カードを個別に識別可能な記録媒体識別情報、並びに遊技用価値である度数の大きさを特定可能な遊技用価値特定情報、更には消費税の支払いに使用される間接税用価値の大きさを特定可能な間接税用価値特定情報としての会員カードＩＤや、会員ＩＤ、カードユニット３とシステムコントローラ１００との通信がオフライン状態の場合に使用されるセキュリティー情報等が書き換え不可に記憶されているとともに、カードリーダライタ３２７とのデータ通信により、パチンコ玉の貸出に使用される遊技用価値である度数や、消費税の支払いに使用される間接税用価値である税用残額等の情報が書き換え可能に記憶されている。
【００１８】
次いで、ビジターカードについて説明すると、このビジターカードも会員カードと同様に非接触式ＩＣカードが適用されており、その内部メモリには、各ビジターカードを個別に識別可能とする記録媒体識別情報、並びに遊技用価値である度数の大きさを特定可能な遊技用価値特定情報、更には消費税の支払いに使用される間接税用価値の大きさを特定可能な間接税用価値特定情報としてのカードＩＤ等が書き換え不可に記憶されているとともに、前述したカードリーダライタ３２７とのデータ通信により、パチンコ玉の貸出に使用される遊技用価値である度数や、消費税の支払いに使用される間接税用価値である税用残額等の情報が書き換え可能に記憶されている。
【００１９】
次いで、本実施例１に用いた遊技使用処理手段であるカードユニット３について簡潔に説明すると、このカードユニット３は、前述のように遊技島に並設される遊技機としてのパチンコ機２に１対１に対応して設置されている。
【００２０】
カードユニット３の前面には、図２に示すように、各種表示部や操作ボタン、紙幣挿入口３０２、硬貨投入口３０３、硬貨返却口３１３、カード挿入口３１９が設けられている。
【００２１】
カードユニット３の前面に設けられる表示部のうち、多機能表示部３０１は、内部に設けられた多機能ＬＥＤ３０１ａの発光態様によりカードユニット３の動作状況等が報知される。
【００２２】
また、カードユニット３の前面に設けられた表示部のうち、変更可能表示部３０５は、後述する貸出処理における貸出単位（１回の貸出操作で使用される度数の大きさ）の変更が可能である場合に、その内部に設けられた変更可能ＬＥＤ３０５ａ（図３参照）が点灯する。貸出単位表示部３０７は、前述した貸出単位が内蔵された貸出単位表示器３０７ａ（図３参照）により表示される表示部であり、度数表示部３０９は、会員カードやビジターカードから読み出された度数やエラーコード等が内蔵された度数表示器３０９ａ（図３参照）により表示される表示部である。方向指示表示部３１１は、対応する遊技機の連結方向を示す表示部であり、遊技機と接続されている場合に内部に設けられた方向指示ＬＥＤ３１１ａ（図３参照）が点灯する。挿入中表示部３１２は、会員カードが挿入中である場合に内部に設けられた挿入中ＬＥＤ３１２ａ（図３参照）が点灯する。報知手段である表示部３１４は、度数の使用により徴収された税額や、該徴収後の税用残額が内蔵された液晶表示器３１４ａ（図３参照）に表示されるとともに、該税用残額が玉貸操作時において該玉貸への使用度数に相当する消費税の徴収税額未満であるときに、該税用残額が不足しているために玉貸が実施されない旨が表示されて報知される。
【００２３】
また、カードユニット３の前面に設けられたボタンのうち、硬貨返却ボタン３０４は、硬貨投入口３０３から投入された硬貨が詰まった場合等において、硬貨を返却させる際に押圧するボタンである。貸出単位変更ボタン３０６は、貸出単位を変更する際に押圧するボタンである。端数ボタン３０８は、度数表示部３０９の表示内容を変更表示させる際に押圧するボタンである。税入金ボタン３１６は、会員カード或いはビジターカードの挿入中において税用残額への税入金処理を実施する際に押圧するボタンである。
【００２４】
カード挿入口３１９は、内蔵されるカードリーダライタ３２７（図３参照）のカードスロット（図示略）に連設されており、このカード挿入口３１９を介して会員カード並びにビジターカードをカードスロットに挿入可能とされている。
【００２５】
図３は、本実施例１のカードユニット３の構成を示すブロック図である。カードユニット３は、会員カード並びにビジターカードの記憶情報の読み取り並びに書き込みを行うカードリーダライタ３２７と、カードユニット３全体の動作制御を行う制御ユニット３２８とから主に構成されている。
【００２６】
カードリーダライタ３２７は、前述した会員カードやビジターカードの記録情報の読み出し並びに書き込みを行うとともに、ＨＵＢ８’を介してシステムコントローラ１００とデータ通信可能に接続されており、挿入された会員カードやビジターカードに記憶された（会員）カードＩＤや度数や税用残額の認証等がシステムコントローラ１００との間で行われる。
【００２７】
制御ユニット３２８には、前述した各種ＬＥＤや表示器、スイッチ等の各種電気部品や紙幣識別ユニット３２２、硬貨識別ユニット３２４、が接続されている。
【００２８】
制御ユニット３２８に接続された各種スイッチのうち、貸出単位変更スイッチ３０６ａは、貸出単位変更ボタン３０６の操作を検知するスイッチであり、端数スイッチ３０８ａは、端数ボタン３０８の操作を検知するスイッチであり、税入金スイッチ３１６ａは、税入金ボタン３１６の操作を検知するスイッチである。
【００２９】
また、制御ユニット３２８には、特に図示しないが、接続された対応するパチンコ機２に設けられる貸出ボタン（パチンコ玉の貸出を行う際に操作されるボタン）や返却ボタン（受付け中の会員カードやビジターカードを返却させる際に操作されるボタン）の操作を検知する貸出スイッチや返却スイッチが接続されている。
【００３０】
制御ユニット３２８に接続された紙幣識別ユニット３２２は、紙幣挿入口３０２に投入された紙幣を取り込んでその真贋や紙幣種別の識別を行う。また、硬貨識別ユニット３２４は、硬貨投入口３０３より投入された硬貨の真贋並びに硬貨種別の識別を行う。
【００３１】
制御ユニット３２８に接続された各種ＬＥＤや表示器は、制御ユニット３２８により制御される。また、制御ユニット３２８は、各種スイッチの検出信号や、紙幣識別ユニット３２２や硬貨識別ユニット３２４による識別信号を受けて各種の制御を行う。
【００３２】
また、制御ユニット３２８は、対応するパチンコ機２と接続されており、該パチンコ機２との間において、貸出処理に伴う各種の信号の授受が可能とされている。
【００３３】
また、制御ユニット３２８は、前述したカードリーダライタ３２７とデータ通信可能に接続されており、該カードリーダライタ３２７にて会員カードやビジターカードから読み取った記憶データの送受や、各種コマンドの送受が実施可能とされている。
【００３４】
本実施例１のカードユニット３は、カード挿入口３１９に挿入された会員カード並びにビジターカードの使用の可／不可を判別する受付処理と、この受付処理において受付けられた会員カード並びにビジターカードより読み出された度数を使用して、対応するパチンコ機２に対してパチンコ玉の貸出を実施させる貸出処理と、会員カード或いはビジターカードが受付中でかつ残存する度数が０度の場合であって、紙幣（１０００円紙幣、２０００円紙幣、５０００円紙幣、１００００円紙幣）または硬貨（１００円硬貨、５００円硬貨）が挿入または投入されて識別された場合に、この識別された金額に相当する度数を、受付けられている会員カード或いはビジターカードより読み出された（会員）カードＩＤより特定される度数に加算する遊技用価値加算処理である入金処理と、会員カード或いはビジターカードの受付中において前記税入金ボタン３１６が操作された場合であって、紙幣（１０００円紙幣）が挿入されて識別された場合に、この識別された金額である１０００円を、受付けられている会員カード或いはビジターカードより読み出された（会員）カードＩＤより特定される税用残額に加算する間接税用価値加算処理である税入金処理と、を行うようになっている。
【００３５】
次に、会員カード或いはビジターカードの遊技用価値である度数への追加入金を実施するとともに、消費税の支払いに使用される間接税価値である税用残額への税入金処理を実施するための入金機５００を、図４並びに図５に基づき説明すると、該入金機５００は、前記遊技島１の端部位置に配置され、その外観形状は図４に示すようになっており、その前面には、追加入金が実施可能であることを遊技者に報知するための動作表示部５０１と、入金を実施する会員カードまたはビジターカードが挿入・返却されるカード挿入返却口５０２と、該カード挿入返却口５０２より会員カードまたはビジターカードが返却されていることを点滅により報知するカードインジケータ５０３と、紙幣を挿入可能とされ、且つお釣りとなる紙幣が排出される紙幣挿入排出口５０４と、該紙幣挿入排出口５０４からの紙幣の返却を点滅により報知する紙幣インジケータ５０５と、前記紙幣挿入排出口５０４に挿入された紙幣の合計金額を表示するための金額表示部５０７と、１０００円、３０００円、５０００円、１００００円から入金金額を選択するための入金額選択ボタンスイッチスイッチ５０８と、入金を中断するための中止ボタンスイッチスイッチ５０９と、税入金処理を行うための税入金ボタンスイッチスイッチ５１０と、が設けられている。
【００３６】
本実施例１の入金機５００の構成について説明すると、該入金機５００は、前記動作表示部５０１、金額表示部５０７、入金額選択ボタンスイッチスイッチ５０８、中止ボタンスイッチ５０９、税入金ボタンスイッチスイッチ５１０、カードインジケータ５０３や、紙幣インジケータ５０５に加えて、図５に示すように、前記カード挿入返却口５０２に連設され、会員カードまたはビジターカードの記憶情報の読み出し並びに書き込みを行うカードリーダライタ５１５と、前記紙幣挿入排出口５０４に連設され、挿入された紙幣の識別を行うとともに、釣り銭となる紙幣の返却を行う紙幣識別ユニット５１６と、前記金額表示部５０７の表示動作の制御を行う表示ドライバ５２０と、会員カードまたはビジターカードより読み出しまたは書き込みされる各種データ等が記憶されるとともに、後述するＭＰＵ５２３の制御内容が記述された制御プログラム等が記憶された記憶部５２１と、通信ケーブル８を介して前記システムコントローラ１００とデータ通信を行うための通信部５２２と、これら各部の制御等を行うとともに、釣り銭の金額等を算出するマイクロプロセッシングユニット（ＭＰＵ）５２３と、を具備し、これら各部は図５に示すように接続されており、会員カードまたはビジターカードの度数への追加入金並びに税用残額への追加入金を実施可能とされている。
【００３７】
次いで、本実施例１に用いた精算装置４００について図６並びに図７に基づき説明すると、該精算装置４００は、前記入金機５００と同様に前記遊技島１の端部位置等の遊技場内の所定位置に配置され、その外観形状は図６に示すようになっており、その前面に、会員カード並びにビジターカードの精算が可能であることを遊技者に報知するための動作表示部４０１と、精算する会員カード或いはビジターカードが挿入可能とされているカード挿入口４０２と、該カード挿入口４０２に会員カードが返却されていることを点滅により報知するカードインジケータ４０３と、前記カード挿入口４０２に挿入された会員カード或いはビジターカードに記録されている度数が相当する残存金額や、税用残額、残存金額と税用残額との合計精算額を表示するための表示部４０７と、残存金額や税用残額、残存金額と税用残額との合計精算額等を含む精算明細のレシートが発行されるレシート発行口４０４と、前記表示部４０７に表示されている合計精算額の精算を実施する際に入力操作される精算ボタンスイッチスイッチ４１０と、該精算処理を中断する際に入力操作される中止ボタンスイッチ４０９と、合計精算額の精算に伴い払い出される硬貨が排出されるコイン排出口４１１と、該コイン排出口４１１からの硬貨の排出を点滅により報知するコインインジケータ４１２と、合計精算額の精算に伴い払い出される紙幣が排出される紙幣排出口４１３と、該紙幣排出口４１３からの紙幣の排出を点滅により報知する紙幣インジケータ４１４と、が設けられている。
【００３８】
また、該精算装置４００の前面は、開閉自在とされた開閉扉とされており、該開閉扉を解放することで、図示しない制御ユニットが露出するようになっていて、該制御ユニットの内部には、後述するマイクロプロセッシングユニット（ＭＰＵ）４２３や通信部４２２並びに記憶部４２１等が内在されているともに、その前面には、各種の設定操作等を行うための操作部や、電源のＯＮ／ＯＦＦを行うためのメインスイッチ４２９等が設けられており、これら各部は、図７に示すように、該制御ユニット４２５内部の制御基板（図示略）に実装されている前記ＭＰＵ４２３と接続されている。
【００３９】
このＭＰＵ４２３には、図７に示すように、前記動作表示部４０１や、表示部４０７や、精算ボタンスイッチ４１０や、中止ボタンスイッチ４０９や、カードインジケータ４０３や、紙幣インジケータ４１４や、コインインジケータ４１２に加えて、前記カード挿入口４０２に連設され、会員カード或いはビジターカードの記憶情報の読み出し並びに書き込みを行うカードリーダライタ４１５と、前記コイン排出口４１１に連設され、硬貨の払い出しを実施する硬貨払出ユニット４１８と、前記紙幣排出口４１３に連設され、紙幣の払い出しを実施する紙幣払出ユニット４１９と、前記レシート発行口４０４に連設されて、前記精算明細がプリントされたレシートを発行するためのレシートプリンタ４３０と、前記表示部４０７の表示動作の制御を行う表示ドライバ４２０と、会員カード或いはビジターカードより読み出された各種データ等が記憶されるとともに、ＭＰＵ４２３が行う制御内容が記述された制御プログラム等を記憶するための記憶部４２１と、通信ケーブル８を介して前記システムコントローラ１００とデータ通信を行うための通信部４２２と、が接続されており、前記マイクロプロセッシングユニット（ＭＰＵ）４２３にて、該接続されている各部の動作が制御されて所定の精算処理が実施されるようになっている。
【００４０】
次いで、これらカードユニット３や入金機５００、精算装置４００が接続されたシステムコントローラ１００について説明すると、該システムコントローラ１００は、図８に示すように、コンピュータ内部にてデータの送受を行うデータバス１１２に、該管理コンピュータが実施する各種処理を行う中央演算処理装置（ＣＰＵ）１１３、ＲＡＭ１０８、時刻情報やカレンダ情報を出力するリアルタイムクロック１１４、表示装置１０７、キーボードやマウス等の入力装置１１０、プリンタ１０４、磁気ディスクや光磁気ディスクから成り、後述する税金設定画面にて設定された間接税率のデータとともに、当該遊技場にて発行された会員カード並びにビジターカードに残存する残存度数と税用残額とを管理するためのカード管理データベース（図１０参照）や、会員カード並びにビジターカードの使用履歴が記憶される使用履歴テーブル（図１１参照）等を記憶するための記憶装置１０９、前記各カードユニット３や各入金機５００並びに精算装４００とのデータ通信を行う第１の通信インターフェィス１０６、営業終了後の閉店処理にて集計された一日の使用度数と消費税の徴収総額を含む営業情報を第三者機関であるカード管理会社に設置されている管理サーバ（図示略）に送信するための出力手段である第２の通信インターフェィス１０５が接続された通常のコンピュータである。
【００４１】
また、前記記憶装置１０９には、該システムコントローラ１００の各種処理を実施するための処理プログラムに加えて、図１０並びに図１１に示すように、各会員カード並びにビジターカードの（会員）カードＩＤに対応して、各会員カード並びにビジターカードに残存する残存度数と税用残額が記憶されたカード管理データベース（ＤＢ）や、会員カード並びにビジターカードが使用された時刻に対応付けて、使用された会員カード並びにビジターカードの（会員）カードＩＤと、使用度数と、該使用度数の遊技用価値使用処理を実施したカードユニット３の装置ＩＤが登録される処理装置と、使用度数に相当する使用金額が該当する消費税額が登録される徴収税額とが記憶された使用履歴テーブルが記憶されており、該使用履歴テーブルに基づいて一日分の使用度数および徴収消費税額が集計（合計）されて第三者機関であるカード管理会社に出力される。尚、これら使用度数および徴収消費税額の送信タイミングは、本実施例１では、営業終了後の閉店処理時とする一日単位としているが、本発明はこれに限定されるものではなく、１時間や３時間毎に送信（出力）するようにしても良い。
【００４２】
また、図１１には使用履歴テーブルの内、本日分の使用履歴テーブルが示されているが、本実施例１では、これらカード使用履歴を、システムコントローラ１００に設定された所定日数である１週間に相当する７営業日の間、記憶、保持するようになっており、前日以前の６日間の使用履歴テーブルも記憶装置１０９に記憶されている。
【００４３】
また、本実施例１のシステムコントローラ１００には、図９に示すように、間接税である消費税の徴収を実施するかしないかを設定するととともに、該徴収する消費税の税率である間接税徴収税率を設定変更するための税金設定画面が設けられており、該税金設定画面にて消費税の徴収の実施・非実施を設定できるとともに、消費税を徴収する場合の徴収税率を設定変更できるようになっている。このように消費税率を変更設定できるようにすることは、これら消費税率が変更しても、プログラム等の変更を行うことなく、速やかに新たな税率に対応することができるようになることから好ましいが、本発明はこれに限定されるものではなく、これら課税徴収税率の変更が不可とされた構成としても良い。
【００４４】
これら税金設定画面の前記課税徴収税率の設定項目にて設定された税徴税率を含む設定内容は、システムコントローラ１００の前記記憶装置１０９に記憶されるとともに、設定ファイルとして前記入金機５００やカードユニット３へ送信されて、入金機５００やカードユニット３において記憶されている設定ファイルが更新されるようになっており、該設定ファイルに基づいて、設定された税率に基づいて消費税額が算出されるようになっている。
【００４５】
また、本実施例１の税金設定画面の下部位置には、図９に示すように、各会員カードやビジターカードから本日において徴収された消費税の徴収総額、つまりは前記カード使用履歴テーブル（本日分）に記憶されている徴収金額の総合計の金額が、本日の徴収総額として集計されて表示されるようになっているとともに、該本日の徴収総額の下部に設けられた「前日以前の徴収金額履歴の表示」の選択入力部を選択入力することで、前記記憶装置１０９に記憶されている前日以前のカード使用履歴テーブルに基づいて集計された前日以前の徴収金額履歴が表示され、該表示された徴収金額履歴を該徴収金額履歴の表示画面に設けられた「プリント」の選択入力部（図示略）を選択することで、前記プリンタ１０４にて徴収金額履歴が印刷出力されるようになっている。
【００４６】
以下、本実施例１の遊技用システムにおける会員カードやビジターカードの度数への追加入金並びに税用残額への追加入金や、精算並びに消費税の減算徴収処理の流れについて、前記カードユニット３における処理を示す図１２のフロー図に基づいて以下に説明する。尚、以下の説明においては、前記システムコントローラ１００の税金設定画面において、課税徴収を「する」に設定し、間接税徴収税率を「５％」に設定してあるものとする。
【００４７】
まず、遊技者が遊技を実施するために会員カードまたはビジターカードをカードユニット３のカード挿入口３１９に挿入すると、該挿入がＳ１にて検出されて該挿入された会員カードまたはビジターカードから、前記カードリーダライタ３２７により該会員カードまたはビジターカードに記憶されている（会員）カードＩＤ、会員ＩＤ（会員カードのみ）、度数、税用残額等の記憶データの読み出しが実施される（Ｓ２）。
【００４８】
次いで、挿入された会員カードまたはビジターカードから読み出された（会員）カードＩＤと度数並びに税用残額を含む使用許諾要求がシステムコントローラ１００に対して送信され、該システムコントローラ１００にて、送信されてきた使用許諾要求に含まれる（会員）カードＩＤに対応付けて前記カード管理データベースに記憶されている残存度数と税用残額とが特定され、送信されてきた使用許諾要求に含まれる度数並びに税用残額とが一致するか否かの照合が実施される。
【００４９】
該システムコントローラ１００における照合が一致した場合には、使用許諾がカードユニット３に返信され、カードユニット３は、該使用許諾の受信があるか否かを判定し（Ｓ４）、使用許諾の受信がある場合にはＳ６に進んで、前記挿入された会員カードまたはビジターカードから読み出した度数を度数表示部３０９に表示するとともに、前記挿入された会員カードまたはビジターカードから読み出した税用残額を表示部３１４に表示した後、Ｓ７へ進んで貸出操作が有るか否かを判定する。また、使用許諾の受信がない場合にはＳ４からＳ５に進んで、前記挿入された会員カードまたはビジターカードを返却した後、Ｓ１へ戻って会員カードまたはビジターカードの挿入待ち状態となる。
【００５０】
Ｓ７における貸出操作の有無判定において、貸出操作が無いと判定された場合にはＳ８へ進んで紙幣挿入口３０２或いは硬貨投入口３０３から貨幣投入があるか否かが判定され、貨幣投入が無いと判定された場合にはＳ９に進んで税入金ボタン３１６の操作があるか否かが判定され、税入金ボタン３１６の操作が無いと判定された場合にはＳ１０に進んで対応するパチンコ機２に設けられた前記返却ボタン（図示略）の操作（返却操作）があるか否かが判定され、返却操作が無いと判定された場合にはＳ７に戻るようになっており、これらＳ７→Ｓ８→Ｓ９→Ｓ１０→Ｓ７が順次判定されていくことにより、貸出操作の有無、貨幣投入の有無、税入金操作の有無、返却操作の有無が判定されるようになっている。
【００５１】
前記度数表示部３０９に度数が表示された後、遊技者が遊技を実施するために対応するパチンコ機２に設けられている前記貸出ボタン（図示略）を操作した場合には、該貸出操作が為されたとＳ７により判定されてＳ１１へ進むことで、前記貸出単位の度数に相当する金額に対応する消費税額、例えば貸出単位の５度数に相当する５００円に対応する消費税額である２５円が、設定ファイルに記憶されている消費税率である５％を５００円に乗算することで算出されるとともに、該算出された消費税額と表示部３１４に表示された税用残額（すなわちカードＩＤから特定される税用残額や、会員カード或いはビジターカードに記録された税用残額）との比較が実施され、税用残額が算出された消費税額以上である場合においてＳ１６に進んで、カードユニット３から対応するパチンコ機２への所定の信号の授受による貸出処理が実施されて、前記貸出単位の度数に相当するパチンコ球の貸出が対応するパチンコ機２から実施される。
【００５２】
そして、該貸出処理の後、Ｓ１７に進んで度数表示部３０９表示されている残存度数から貸出単位の度数が減算更新されるとともに、表示部３１４に表示されている税用残額から前記にて算出された消費税額が減算更新された後、該カードユニット３の装置ＩＤと受付け中の会員カード或いはビジターカードの（会員）カードＩＤと使用度数（貸出単位の度数）と減算された消費税額とを含む使用情報がシステムコントローラ１００に送信された後、前記Ｓ７に戻る。
【００５３】
この使用情報を受信したシステムコントローラ１００においては、該使用情報を受信した時刻が図１１に示す前記カード使用履歴テーブル（本日分）の使用時刻に記憶されるとともに、該使用時刻に対応するカードＩＤ、使用度数、処理装置、徴収税額の各項目に受信した使用情報に含まれるカードＩＤ、使用度数、装置ＩＤ、消費税額がそれぞれ記憶される。更に、受信した使用情報に含まれるカードＩＤに対応して前記カード管理データベース（図１０参照）に記憶されている残存度数と税用残額から、受信した使用情報に含まれる使用度数と消費税額がそれぞれ減算更新されることで、減算後の新たな遊技用価値である度数と減算後の新たな間接税用価値である税用残額とが、遊技用価値特定情報並びに間接税用価値特定情報としての（会員）カードＩＤにより特定可能とされる。
【００５４】
一方、前記Ｓ１１において、税用残額が算出された消費税額未満であると判定された場合にはＳ１５に進んで、税用残額が不足している旨の表示が表示部３１４に表示されて報知された後、Ｓ７に戻ることで、税用残額が消費税額未満である場合には遊技使用処理である貸出処理が実施されず、税用残額が消費税額以上である場合においてのみ遊技使用処理である貸出処理が実施される。
【００５５】
これら税用残額が不足している旨の表示により税用残額の不足により貸出処理が実施されないことを知覚した遊技者は、表示部３１４に表示される案内に従って、税入金ボタン３１６を操作（税入金操作）することで、税入金操作が為されたとＳ９により判定されてＳ１３へ進み、税入金処理が実施された後、前記Ｓ７へ戻る。
【００５６】
この税入金処理においては、表示部３１４に表示される１０００円紙幣の紙幣挿入口３０２からの挿入を促す案内表示に従って１０００円紙幣を紙幣挿入口３０２に挿入することで、該挿入した１０００円紙幣の真贋が紙幣識別ユニット３２２にて識別され、識別結果が真券であるとの識別結果である場合において、システムコントローラ１００に対して、受付け中の会員カード或いはビジターカードの（会員）カードＩＤと識別金額（１０００円）とを含む税入金情報が送信され、システムコントローラ１００において該税入金情報に含まれるカードＩＤに対応して前記カード管理データベース（図１０参照）に記憶されている税用残額に、税入金情報に含まれる識別金額（１０００円）が加算更新されることで、加算後の新たな間接税用価値である税用残額が、間接税用価値特定情報としての（会員）カードＩＤにより特定可能とされた後、加算後の新たな税用残額を含む更新完了情報がカードユニット３に返信されることで、該更新完了情報に含まれる加算後の新たな税用残額が表示部３１４に表示される。
【００５７】
また、遊技により前記度数表示部３０９表示されている残存度数が０となった場合には、紙幣挿入口３０２や硬貨投入口３０３から貨幣を投入（挿入）することで、該貨幣の投入（挿入）が為されたとＳ８によって判定されてＳ１２へ進み、入金処理が実施された後、前記Ｓ７へ戻る。
【００５８】
この入金処理においては、投入貨幣の真贋が紙幣識別ユニット３２２および／または硬貨識別ユニット３２４にて識別され、識別結果が真貨幣である場合において、システムコントローラ１００に対して、受付け中の会員カード或いはビジターカードの（会員）カードＩＤと識別貨幣の総額（識別総額）とを含む入金情報が送信され、システムコントローラ１００において該入金情報に含まれるカードＩＤに対応して前記カード管理データベース（図１０参照）に記憶されている残存度数に、入金情報に含まれる識別総額が相当する度数が加算更新されることで、加算後の新たな残存度数が、遊技用価値特定情報としての（会員）カードＩＤにより特定可能とされた後、加算後の新たな残存度数を含む更新完了情報がカードユニット３に返信されることで、該更新完了情報に含まれる加算後の新たな残存度数が前記度数表示部３０９表示される。
【００５９】
また、遊技者が遊技を終了する場合に対応するパチンコ機２に設けられた前記返却ボタン（図示略）を操作（返却操作）した場合には、該返却操作が為されたとＳ１０により判定されてＳ１４へ進み、その時点において度数表示部３０９に表示されている度数と、表示部３１４に表示されている税用残額とが、カードリーダライタ３２７により受付け中の会員カード或いはビジターカードに更新記憶された後、カード挿入口３１９から返却される返却処理が実施された後、前記Ｓ１へ戻る。
【００６０】
これら返却された会員カードまたはビジターカードに残存する度数や税用残額は、前記精算装置４００にて精算することができるようになっており、これら精算処理の流れについて、簡潔に説明すると、まず遊技者が会員カードまたはビジターカードの精算を所望する場合には、該会員カード或いはビジターカードを精算装置４００のカード挿入口４０２に挿入する。
【００６１】
該挿入に基づいて、挿入された会員カード或いはビジターカードから、カードリーダライタ４１５により該会員カードまたはビジターカードに記憶されている（会員）カードＩＤ、会員ＩＤ（会員カードのみ）、度数、税用残額等の記憶データが読み出された後、該読み出された記憶情報に含まれる（会員）カードＩＤと度数、税用残額並びに該精算装置４００の装置ＩＤとを含む精算要求が前記システムコントローラ１００に送信される。
【００６２】
この精算要求の受信に基づき、該システムコントローラ１００は、受信した精算要求に含まれる（会員）カードＩＤに対応して前記カード管理データベース（図１０参照）に登録されている残存度数と税用残額とを抽出するとともに、受信した精算要求に含まれる度数並びに税用残額との照合を実施し、照合が一致した場合において精算可と判定し、精算許諾を精算装置４００へ返信する。
【００６３】
精算装置４００は、該返信された精算許諾を受信した後、受付けた会員カード或いはビジターカードから読み出した度数が相当する金額である度数残額と、税用残額と、度数残額と税用残額との和である合計精算額とを表示部４０７に表示し、精算ボタンスイッチ４１０の入力に基づき合計精算額の貨幣の払出を実施するとともに、該精算明細がプリントされたレシートをレシート発行口４０４より発行した後、（会員）カードＩＤを含む精算情報を前記システムコントローラ１００へ送信することで、システムコントローラ１００は、受信した精算情報に含まれる（会員）カードＩＤに対応して前記カード管理データベースに記憶されている残存度数と税用残額とを「０」に更新する。尚、システムコントローラ１００からの精算許諾の受信がない場合には、受付けた会員カード或いはビジターカードを返却する。
【００６４】
また、本実施例１では、カードユニット３における前記入金処理を入金機５００にても実施できるようになっており、該入金機５００における入金処理の状況を簡潔に説明すると、遊技者がカード挿入返却口５０２に会員カード或いはビジターカードを挿入した後、紙幣挿入排出口５０４に紙幣を投入するとともに、該挿入紙幣金額の範囲内に該当する金額の入金額選択ボタンスイッチスイッチ５０８を押圧操作することで、該カード挿入返却口５０２から挿入された会員カード或いはビジターカードからカードリーダライタ５１５にて読み出された（会員）カードＩＤと選択された入金額選択ボタンスイッチスイッチ５０８が該当する入金金額とを含む入金情報がシステムコントローラ１００に送信されて、前記カード管理データベースに当該（会員）カードＩＤに対応付けて記憶されている残存度数に、入金情報に含まれる入金金額が相当する度数が加算更新され、加算後の新たな残存度数が、遊技用価値特定情報としての（会員）カードＩＤにより特定可能とされた後、システムコントローラ１００から入金機５００に対して、加算後の新たな残存度数を含む更新完了情報が返信されることで、該更新完了情報に含まれる加算後の新たな残存度数が、カードリーダライタ５１５により受付け中の会員カード或いはビジターカードに更新記憶されて返却される。
【００６５】
また、本実施例１では、カードユニット３における前記税入金処理を入金機５００にても実施できるようになっており、該入金機５００における税入金処理の状況を簡潔に説明すると、遊技者がカード挿入返却口５０２に会員カード或いはビジターカードを挿入した後、紙幣挿入排出口５０４に紙幣を投入するとともに、税入金ボタンスイッチスイッチ５１０を押圧操作することで、該カード挿入返却口５０２から挿入された会員カード或いはビジターカードからカードリーダライタ５１５にて読み出された（会員）カードＩＤと所定の税入金額（本実施例１では１０００円）とを含む税入金情報がシステムコントローラ１００に送信されて、前記カード管理データベースに当該（会員）カードＩＤに対応付けて記憶されている税用残額に、税入金情報に含まれる入金金額（１０００円）が加算更新され、加算後の新たな税用残額が、間接税用価値特定情報としての（会員）カードＩＤにより特定可能とされた後、システムコントローラ１００から入金機５００に対して、加算後の新たな税用残額を含む更新完了情報が返信されることで、該更新完了情報に含まれる加算後の新たな税用残額が、カードリーダライタ５１５により受付け中の会員カード或いはビジターカードに更新記憶されて返却される。
【００６６】
以上、本実施例１の遊技用システムによれば、間接税用価値減算手段であるシステムコントローラにより、遊技に使用される使用度数（貸出単位）に対応する消費税額が、間接税用価値特定情報である（会員）カードＩＤより特定される間接税用価値である税用残額から減算更新されるとともに、該税用残額が、前記消費税額以上であることを条件として遊技使用処理である貸出処理が行われるので、間接税用価値減算手段であるシステムコントローラによる消費税額の減算が不能となることが回避されるために間接税である消費税を確実に徴収できるばかりか、間接税用価値加算手段としてのカードユニット３や入金機５００を備えることで間接税用価値である税用残額を予め加算（入金）しておくことができることから、遊技用価値加算処理である追加入金に際して少額貨幣を別途投入する必要がなく、これら間接税である消費税の回収に伴う遊技者や遊技場の面倒を解消することができる。
【００６７】
また、本実施例１の遊技用システムによれば、カードユニット３の表示部３１４に、間接税用価値である税用残額が、遊技に使用される使用度数（貸出単位）に対応する消費税額未満であるために遊技使用処理である貸出処理が行われないことが表示されることから、これら消費税額未満であるために遊技使用処理である貸出処理が行われないことを遊技者に確実に認識させることができる。
【００６８】
（実施例２）
本実施例２の遊技用システムは、請求項３に対応しており、前記実施例１が、会員カード或いはビジターカードに残存する間接税用価値である税用残額が、貸出処理に使用される遊技用価値である貸出単位の度数に対応する消費税額よりも大きい場合にのみ遊技使用処理である貸出処理を実施していたのに対し、本実施例２では、会員カード或いはビジターカードへの追加入金に際して、会員カード或いはビジターカードに残存する間接税用価値である税用残額が、該追加入金の入金金額に対応する消費税額よりも大きい場合にのみ遊技用価値加算処理である入金処理を実施するようになっており、本実施例２の遊技用システムの構成並びに各構成機器は前記実施例１と同様とされていることから、これら遊技用システムの構成並びに各構成機器については説明を省略し、実施例１と異なる特徴部分である処理内容について、カードユニット３における処理内容を示す図１３のフロー図に基づいて以下に詳述する。尚、以下の説明においても、実施例１と同様に、前記システムコントローラ１００の税金設定画面において、課税徴収を「する」に設定し、間接税徴収税率を「５％」に設定してあるものとする。
【００６９】
また、図１３に示すフロー図において、Ｓｂ１〜Ｓｂ６までの処理内容は、前記実施例１のＳ１〜Ｓ６と同一であることから説明を省略する。
【００７０】
まずＳｂ４において、システムコントローラ１００からの使用許諾の受信があるか否かの判定が実施され、使用許諾の受信がある場合にはＳｂ６に進んで、前記挿入された会員カードまたはビジターカードから読み出した度数が度数表示部３０９に表示されるとともに、前記挿入された会員カードまたはビジターカードから読み出した税用残額が表示部３１４に表示された後、Ｓｂ７へ進んで紙幣挿入口３０２或いは硬貨投入口３０３からの貨幣投入があるか否かが判定される。
【００７１】
Ｓｂ７における貨幣投入があるか否かの判定において、貨幣投入が無いと判定された場合にはＳｂ８へ進んで貸出操作の有無が判定され、貸出操作が無いと判定された場合にはＳｂ９へ進んで税入金ボタン３１６の操作があるか否かが判定され、税入金ボタン３１６の操作が無いと判定された場合にはＳｂ１０に進んで対応するパチンコ機２に設けられた前記返却ボタン（図示略）の操作（返却操作）があるか否かが判定され、返却操作が無いと判定された場合にはＳｂ７に戻るようになっており、これらＳｂ７→Ｓｂ８→Ｓｂ９→Ｓｂ１０→Ｓｂ７が順次判定されていくことにより、貨幣投入の有無、貸出操作の有無、税入金操作の有無、返却操作の有無が判定されるようになっている。
【００７２】
前記度数表示部３０９に度数が表示された後、遊技者が遊技を実施するために対応するパチンコ機２に設けられている前記貸出ボタン（図示略）を操作した場合には、該貸出操作が為されたとＳｂ８により判定されてＳｂ１２へ進むことで、カードユニット３から対応するパチンコ機２への所定の信号の授受による貸出処理が実施されて、前記貸出単位の度数に相当するパチンコ球の貸出が対応するパチンコ機２から実施される。
【００７３】
そして、該貸出処理の後、Ｓｂ１７に進んで度数表示部３０９表示されている残存度数から貸出単位の度数が減算更新されるとともに、表示部３１４に表示されている税用残額から、前記貸出単位の度数が相当する金額に対応する消費税額が減算更新された後、該カードユニット３の装置ＩＤと受付け中の会員カード或いはビジターカードの（会員）カードＩＤと使用度数（貸出単位の度数）と減算された消費税額とを含む使用情報がシステムコントローラ１００に送信された後、前記Ｓｂ７に戻る。
【００７４】
この使用情報を受信したシステムコントローラ１００においては、前記実施例１の場合と同様に、受信した使用情報に基づく使用履歴がカード使用履歴テーブル（本日分）に記憶されるとともに、受信した使用情報に含まれるカードＩＤに対応して前記カード管理データベース（図１０参照）に記憶されている残存度数と税用残額から、受信した使用情報に含まれる使用度数と消費税額がそれぞれ減算更新されることで、減算後の新たな遊技用価値である度数と減算後の新たな間接税用価値である税用残額とが、遊技用価値特定情報並びに間接税用価値特定情報としての（会員）カードＩＤにより特定可能とされる。
【００７５】
また、遊技により前記度数表示部３０９表示されている残存度数が０となった場合には、紙幣挿入口３０２や硬貨投入口３０３から貨幣を投入（挿入）することで、該貨幣の投入（挿入）が為されたとＳｂ７によって判定されてＳｂ１１へ進み、投入貨幣の真贋が紙幣識別ユニット３２２および／または硬貨識別ユニット３２４にて識別され、識別結果が真貨幣である場合において、該識別貨幣の総額である入金金額に対応する消費税額、例えば識別貨幣の総額が３０００円である場合に、該３０００円に対応する消費税額である１５０円が、設定ファイルに記憶されている消費税率である５％を３０００円に乗算することで算出されるとともに、該算出された消費税額と表示部３１４に表示されている税用残額（すなわちカードＩＤから特定される税用残額や、会員カード或いはビジターカードに記録された税用残額）との比較により、該税用残額が算出された消費税額以上であるか否かが判定され、該判定において税用残額が消費税額以上であるとの判定結果である場合においてＳｂ１６に進んで入金処理が実施された後、前記Ｓｂ７へ戻る。
【００７６】
この入金処理においては、受付け中の会員カード或いはビジターカードの（会員）カードＩＤと識別貨幣の総額（識別総額）とを含む入金情報がシステムコントローラ１００に対して送信され、システムコントローラ１００において該入金情報に含まれるカードＩＤに対応して前記カード管理データベース（図１０参照）に記憶されている残存度数に、入金情報に含まれる識別総額が相当する度数が加算更新されることで、加算後の新たな残存度数が、遊技用価値特定情報としての（会員）カードＩＤにより特定可能とされた後、加算後の新たな残存度数を含む更新完了情報がカードユニット３に返信されることで、該更新完了情報に含まれる加算後の新たな残存度数が前記度数表示部３０９表示される。
【００７７】
一方、前記Ｓｂ１１の判定において、税用残額が消費税額以上でなない（消費税額未満である）との判定結果である場合にはＳｂ１５に進むことで、前記算出された消費税額と税用残額との差である不足額が算出され、該不足額と追加入金のための税用残額が不足している旨の表示が前記表示部３１４に表示されることで遊技者に報知された後、Ｓｂ７に戻ることで、税用残額が入金金額に対応する消費税額未満である場合には遊技用価値加算処理である追加入金が実施されず、税用残額が入金金額に対応する消費税額以上である場合においてのみ遊技用価値加算処理である追加入金が実施される。
【００７８】
これら税用残額が不足している旨の表示により税用残額の不足により追加入金ができないことを知覚した遊技者は、表示部３１４に表示される案内に従って、税入金ボタン３１６を操作（税入金操作）することで、税入金操作が為されたとＳｂ９により判定されてＳｂ１３へ進み、前記実施例１の場合と同様の税入金処理が実施された後、前記Ｓｂ７へ戻る。
【００７９】
また、遊技者が遊技を終了する場合に対応するパチンコ機２に設けられた前記返却ボタン（図示略）を操作（返却操作）した場合には、該返却操作が為されたとＳｂ１０により判定されてＳｂ１４へ進み、その時点において度数表示部３０９に表示されている度数と、表示部３１４に表示されている税用残額とが、カードリーダライタ３２７により受付け中の会員カード或いはビジターカードに更新記憶された後、カード挿入口３１９から返却される返却処理が実施された後、前記Ｓｂ１へ戻る。
【００８０】
また、本実施例２の入金機５００における入金処理においても、前記カードユニット３におけるＳｂ１１、Ｓｂ１５、Ｓｂ１６に示す処理と同様に、受付けた会員カード或いはビジターカードから特定される税用残額と入金金額に対応する消費税額との比較により、税用残額が入金金額に対応する消費税額未満である場合には、追加入金が実施されないようになっており、その場合においては、税用残額と入金金額に対応する消費税額との差額が金額表示部５０７に点滅表示されることで、税用残額が入金金額に対応する消費税額未満であるために追加入金が実施されない旨と、不足している税用残額とが報知される。
【００８１】
以上、本実施例２の遊技用システムによれば、間接税用価値減算手段であるシステムコントローラにより、遊技に使用される使用度数（貸出単位）に対応する消費税額が、間接税用価値特定情報である（会員）カードＩＤより特定される間接税用価値である税用残額から減算更新されるとともに、該税用残額が、遊技用価値加算処理である追加入金に供される入金金額に対応する間接税額である消費税額以上であることを条件として、遊技用価値加算処理である追加入金が行われるので、前記間接税用価値減算手段であるシステムコントローラによる消費税額の減算が不能となることが回避されるために間接税である消費税を確実に徴収できるばかりか、間接税用価値加算手段としてのカードユニット３や入金機５００を備えることで間接税用価値である税用残額を予め加算（入金）しておくことができることから、遊技用価値加算処理である追加入金に際して少額貨幣を別途投入する必要がなく、これら間接税である消費税の回収に伴う遊技者や遊技場の面倒を解消することができる。
【００８２】
また、本実施例２の遊技用システムによれば、カードユニット３の表示部３１４に、間接税用価値である税用残額が、遊技用価値加算処理である追加入金に必要な消費税額未満であるために遊技用価値加算処理である追加入金が行われないことに加えて、不足している税用残額を遊技者に確実に認識させることができる。
【００８３】
また、前記各実施例の遊技用システムによれば、税金設定画面をシステムコントローラが有することで、消費税率等の間接税率が変更されても、設定変更手段であるシステムコントローラにて間接税率を適宜に変更できるため、間接税率の変化にも対応することができる。
【００８４】
また、前記各実施例の遊技用システムによれば、精算手段である精算装置４００を備えることで、遊技者は、遊技用記録媒体である会員カード或いはビジターカードに残存する遊技用価値である度数と間接税用価値である税用残額を貨幣に戻すことができるようになり、遊技者の利便性、特には、再度当該遊技場に来場する予定のない遊技者の利便性を向上できる。
【００８５】
また、前記各実施例の遊技用システムによれば、使用履歴テーブル（本日分）の徴収税額を集計することにより算出された、当該遊技場にて徴収された徴収消費税総額が管理機関であるカード管理会社により管理されるようになるため、脱税防止を図ることができる。
【００８６】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【００８７】
例えば、前記実施例では、間接税額である消費税額の算出を、システムコントローラ１００から配信された設定ファイルに基づき、入金機５００（ＭＰＵ５２３）や、カードユニット３（制御ユニット３２８）が実施するようにしており、このようにすることは、これら間接税額の算出処理に伴うシステムの処理負荷が分散できるようになることから好ましいが、本発明はこれに限定されるものではなく、これら間接税額の算出をシステムコントローラ１００が一元的に実施するようにしても良い。尚、これら消費税額の算出をシステムコントローラ１００が一元的に実施する場合においては、実施例１における税用残額が貸出単位に基づいて算出された消費税額以上であるか否かの判定や、実施例２における税用残額が入金総額に基づいて算出された消費税額以上であるか否かの判定も、システムコントローラ１００で行い、該判定結果をカードユニット３に返信するようにすれば良い。
【００８８】
また、前記実施例では、カードユニット３や入金機５００における税入金処理において、一律１０００円を入金できるようにしているが、本発明はこれに限定されるものではなく、これらの金額を１０００円以外の金額、例えば１００円や５００円としたり、これら税入金処理において入金する金額を、投入金額の範囲内において遊技者が指定できるようにしても良い。
【００８９】
また、前記実施例では、精算装置４００を有し、遊技者が会員カード或いはビジターカードに残存する度数や税用残額を精算できることから、カードユニット３においては、投入された現金の全てを追加入金するようにしているが、本発明はこれに限定されるものではなく、カードユニット３においても、入金機５００と同様に、投入された現金の一部を入金できるようにしても良い。
【００９０】
また、前記実施例では、精算装置４００を有し、遊技者が会員カード或いはビジターカードに残存する度数や税用残額を精算できるようにしているが、これら精算装置４００を有しない構成としても良い。
【００９１】
また、前記実施例では、精算装置４００において、会員カード或いはビジターカードに残存する度数や税用残額の全額を精算するようにしているが、本発明はこれに限定されるものではなく、該精算装置４００に精算する金額を入力するための入力部を設けて、遊技者が会員カード或いはビジターカードに残存する度数や税用残額の内、精算する金額をそれぞれに指定できるようにし、度数や税用残額の一部を精算できるようにしても良い。
【００９２】
また、前記実施例では、前記税金設定画面において、間接税率である消費税率を、「間接税徴収税率」の設定値を変更することで変更でき、該変更に基づいて間接税率である消費税率を特定可能な情報である設定ファイルが更新されるようになるため、これら間接税率である消費税率が変更されても、変更した税率に簡便かつ迅速に対応できるようになっているが、本発明はこれに限定されるものではなく、これら間接税率が設定変更不可とされた構成としても良い。
【００９３】
また、前記実施例では、システムコントローラ１００に出力手段として第２の通信インターフェイス１０５を設け、第三者機関であるカード管理会社に、当該遊技場にて徴収された間接税総額の情報を含む営業情報を送信するようにしているが、本発明はこれに限定されるものではなく、これら第三者機関への間接税総額の情報の送信を行わない構成としても良い。更には、これら間接税総額の情報を、カード管理会社以外の税金を管理する管理会社へ送信するようにしても良い。
【００９４】
また、前記実施例では、カードユニット３において、会員カード或いはビジターカードの残度数が「０」の場合において追加入金できるようにしているが、本発明はこれに限定されるものではなく、これら追加入金を、所定の残度数以下、例えば１０００円に相当する１０度数以下において実施できるようにしても良い。
【００９５】
また、前記実施例では、精算装置４００を単体にて設置しているが、本発明はこれに限定されるものではなく、これら精算装置４００をその他の装置、例えば前記入金機５００と一体として設けるようにしても良い。
【００９６】
また、前記実施例では遊技用記録媒体として非接触型ＩＣカードを用いているが、本発明はこれに限定されるものではなく、これを磁気カードや接触型のＩＣカード、更には携帯電話等としても良く、これら遊技用記録媒体としては、残金額を特定可能な情報を読み出し可能に記録でき、遊技者が携行できるものであれば、任意の記録媒体を使用することができる。
【００９７】
また、前記実施例に用いた遊技用記録媒体としての会員カードやビジターカードの形状はカード状とされているが、本発明はこれに限定されるものではなく、例えば円盤形状や球状、チップ状等その他の形状とされていても良い。
【００９８】
また前記実施例では、遊技機であるパチンコ機２に使用される遊技媒体としてパチンコ玉を用いているが、これら遊技媒体をメダルや点数、更には後述する画像式のパチンコ機やスロットマシン、パチロット等における画像にて形成されたパチンコ玉やメダル等としても良く、これら遊技媒体は遊技において使用される媒体であれば、本発明の遊技媒体に含まれるものであり、その形態が限定されるものではない。
【００９９】
また前記実施例においては、遊技機として遊技媒体であるパチンコ玉が外部に払い出される通常のパチンコ機２を用いているが、本発明はこれら通常のパチンコ機のみならず、メダルやパチンコ玉を用いて遊技を行うスロットマシン、パチンコ玉やメダルが外部に排出されることなく遊技可能な封入式のパチンコ機や完全クレジット式のスロットマシン、さらにはこれら遊技媒体を用いずにデータ等により遊技可能な遊技機や、遊技盤やパチンコ玉が画像にて表示される画像式のパチンコ機や、リールが画像にて表示される画像式のスロットマシン及びパチロットにも適用可能であることはいうまでもなく、これら遊技機が限定されるものではない。
【０１００】
また前記実施例においては、会員カードやビジターカードに遊技用価値特定情報並びに間接税用価値特定情報である（会員）カードＩＤとともに、度数と税用残額とを記録しているが、本発明はこれに限定されるものではなく、会員カードやビジターカードには（会員）カードＩＤのみが記録されていて、該（会員）カードＩＤを前記システムコントローラ１００に送信することで、カードユニット３が、システムコントローラ１００から会員カードやビジターカードの残存度数や税用残額を入手するようにしても良いし、更には、度数と税用残額のみを会員カードやビジターカードに、度数や税用残額が変更される都度毎に記憶して該度数や税用残額を特定可能とし、前記システムコントローラ１００では度数や税用残額の管理を実施しない構成としても良い。
【０１０１】
また前記実施例においては、判断手段が行う前記税用残額が入金金額に対応する消費税額以上であるか否かの判定を、カードユニット３や入金機５００にて実施しているが、本発明はこれに限定されるものではなく、これらの判断をシステムコントローラが実施するようにし、税用残額が入金金額に対応する消費税額以上である場合において、システムコントローラからカードユニット３や入金機５００に入金許諾を送信するようにしても良い。
【０１０２】
前記実施例における各要素は、本発明に対して以下のように対応している。
本発明の請求項１は、遊技に使用可能な遊技用価値（度数）の大きさを特定可能な遊技用価値特定情報（（会員）カードＩＤ）と間接税（消費税）の支払いに使用される間接税用価値（税用残額）の大きさを特定可能な間接税用価値特定情報（（会員）カードＩＤ）とが記録された遊技用記録媒体（会員カード、ビジターカード）および貨幣を受付けて、該受付けた貨幣金額の範囲内の所定額に相当する遊技用価値（度数）の大きさを、前記受付けた遊技用記録媒体（会員カード、ビジターカード）に記録されている遊技用価値特定情報（（会員）カードＩＤ）により特定される遊技用価値（度数）の大きさに加算更新し、該加算更新後の新たな遊技用価値（度数）の大きさを前記遊技用価値特定情報（（会員）カードＩＤ）から特定可能とするための遊技用価値加算処理（追加入金）を行う遊技用価値加算手段（カードユニット３、入金機５００、システムコントローラ１００）と、前記遊技用記録媒体（会員カード、ビジターカード）および貨幣を受付けて、該受付けた貨幣金額の範囲内の所定額に相当する間接税用価値（税用残額）の大きさを、前記受付けた遊技用記録媒体（会員カード、ビジターカード）に記録されている間接税用価値特定情報（（会員）カードＩＤ）により特定される間接税用価値（税用残額）の大きさに加算更新し、該加算更新後の新たな間接税用価値（税用残額）の大きさを前記間接税用価値特定情報（（会員）カードＩＤ）から特定可能とするための間接税用価値加算処理（税入金処理）を行う間接税用価値加算手段（カードユニット３、入金機５００、システムコントローラ１００）と、前記遊技用記録媒体（会員カード、ビジターカード）を受付け、該受付けた遊技用記録媒体（会員カード、ビジターカード）に記録されている前記遊技用価値特定情報（（会員）カードＩＤ）により特定される遊技用価値（度数）の大きさの少なくとも一部を遊技に使用させるとともに、該遊技に使用された遊技用価値（度数）の大きさを、前記受付けた遊技用記録媒体（会員カード、ビジターカード）に記録された遊技用価値特定情報（（会員）カードＩＤ）により特定される遊技用価値（度数）の大きさから減算更新し、該減算更新後の新たな遊技用価値（度数）の大きさを前記遊技用価値特定情報（（会員）カードＩＤ）から特定可能とするための遊技使用処理（玉貸処理）を行う遊技使用処理手段（カードユニット３、システムコントローラ１００）と、間接税率（消費税率）を特定可能な情報を記憶するための間接税率記憶手段（カードユニット３）と、該間接税率記憶手段（カードユニット３）に記憶された間接税率（消費税率）を特定可能な情報に基づいて、前記遊技使用処理手段（カードユニット３、システムコントローラ１００）にて遊技に使用される遊技用価値（度数）の大きさに対応する間接税用価値（税用残額）の大きさを算出し、該算出した間接税用価値（税用残額）の大きさを、前記間接税用価値特定情報（（会員）カードＩＤ）により特定される間接税用価値（税用残額）の大きさから減算更新し、該減算更新後の新たな間接税用価値（税用残額）の大きさを前記間接税用価値特定情報（（会員）カードＩＤ）から特定可能とするための間接税用価値減算処理を行う間接税用価値減算手段（システムコントローラ１００）と、を備え、前記遊技使用処理手段（カードユニット３、システムコントローラ１００）は、前記受付けた遊技用記録媒体（会員カード、ビジターカード）に記録されている間接税用価値特定情報（（会員）カードＩＤ）により特定される間接税用価値（税用残額）の大きさが、前記算出された間接税用価値（税用残額）の大きさ以上であることを条件として前記遊技使用処理（玉貸処理）を行う。
【０１０３】
本発明の請求項２は、前記間接税用価値特定情報（（会員）カードＩＤ）により特定される間接税用価値（税用残額）の大きさが前記算出された間接税用価値（税用残額）の大きさ未満であるときに、前記遊技使用処理（玉貸処理）が行われない旨を報知する報知手段（表示部３１４）を備える。
【０１０４】
本発明の請求項３は、遊技に使用可能な遊技用価値（度数）の大きさを特定可能な遊技用価値特定情報（（会員）カードＩＤ）と間接税（消費税）の支払いに使用される間接税用価値（税用残額）の大きさを特定可能な間接税用価値特定情報（（会員）カードＩＤ）とが記録された遊技用記録媒体（会員カード、ビジターカード）および貨幣を受付けて、該受付けた貨幣金額の範囲内の所定額に相当する遊技用価値（度数）の大きさを、前記受付けた遊技用記録媒体（会員カード、ビジターカード）に記録されている遊技用価値特定情報（（会員）カードＩＤ）により特定される遊技用価値（度数）の大きさに加算更新し、該加算更新後の新たな遊技用価値（度数）の大きさを前記遊技用価値特定情報（（会員）カードＩＤ）から特定可能とするための遊技用価値加算処理（追加入金）を行う遊技用価値加算手段（カードユニット３、入金機５００、システムコントローラ１００）と、前記遊技用記録媒体（会員カード、ビジターカード）および貨幣を受付けて、該受付けた貨幣金額の範囲内の所定額に相当する間接税用価値（税用残額）の大きさを、前記受付けた遊技用記録媒体（会員カード、ビジターカード）に記録されている間接税用価値特定情報（（会員）カードＩＤ）により特定される間接税用価値（税用残額）の大きさに加算更新し、該加算更新後の新たな間接税用価値（税用残額）の大きさを前記間接税用価値特定情報（（会員）カードＩＤ）から特定可能とするための間接税用価値加算処理（税入金処理）を行う間接税用価値加算手段（カードユニット３、入金機５００、システムコントローラ１００）と、前記遊技用記録媒体（会員カード、ビジターカード）を受付け、該受付けた遊技用記録媒体（会員カード、ビジターカード）に記録されている前記遊技用価値特定情報（（会員）カードＩＤ）により特定される遊技用価値（度数）の大きさの少なくとも一部を遊技に使用させるとともに、該遊技に使用された遊技用価値（度数）の大きさを、前記受付けた遊技用記録媒体（会員カード、ビジターカード）に記録された遊技用価値特定情報（（会員）カードＩＤ）により特定される遊技用価値（度数）の大きさから減算更新し、該減算更新後の新たな遊技用価値（度数）の大きさを前記遊技用価値特定情報（（会員）カードＩＤ）から特定可能とするための遊技使用処理（玉貸処理）を行う遊技使用処理手段（カードユニット３、システムコントローラ１００）と、
間接税率（消費税率）を特定可能な情報を記憶するための間接税率記憶手段（システムコントローラ１００、カードユニット３）と、該間接税率記憶手段（システムコントローラ１００、カードユニット３）に記憶された間接税率（消費税率）を特定可能な情報に基づいて、前記遊技使用処理手段（カードユニット３、システムコントローラ１００）にて遊技に使用される遊技用価値（度数）の大きさに対応する間接税用価値（税用残額）の大きさを算出し、該算出した間接税用価値（税用残額）の大きさを、前記間接税用価値特定情報（（会員）カードＩＤ）により特定される間接税用価値（税用残額）の大きさから減算更新し、該減算更新後の新たな間接税用価値（税用残額）の大きさを前記間接税用価値特定情報（（会員）カードＩＤ）から特定可能とするための間接税用価値減算処理を行う間接税用価値減算手段（システムコントローラ１００）と、前記遊技用価値加算処理（追加入金）を行うときに、前記間接税率記憶手段（システムコントローラ１００）に記憶された間接税率（消費税率）を特定可能な情報に基づいて該遊技用価値加算処理（追加入金）に供される遊技用価値（度数）の大きさに対応する間接税用価値（税用残額）の大きさを算出し、前記間接税用価値特定情報（（会員）カードＩＤ）により特定される間接税用価値（税用残額）の大きさが、前記算出した間接税用価値（税用残額）の大きさ以上であるか否かを判定する判定手段（カードユニット３、入金機５００）と、を備え、前記遊技用価値加算手段（カードユニット３、入金機５００、システムコントローラ１００）は、該判定手段（カードユニット３、入金機５００）により前記間接税用価値特定情報（（会員）カードＩＤ）により特定される間接税用価値（税用残額）の大きさが、前記算出された間接税用価値（税用残額）の大きさ以上であると判定されたことを条件として、前記遊技用価値加算処理（追加入金）を行う。
【０１０５】
本発明の請求項４は、前記判定手段（カードユニット３、入金機５００）により、前記間接税用価値特定情報（（会員）カードＩＤ）により特定される間接税用価値（税用残額）の大きさが、前記算出された間接税用価値（税用残額）の大きさ未満であると判定されたときに、前記算出された間接税用価値（税用残額）の大きさと前記間接税用価値特定情報（（会員）カードＩＤ）により特定される間接税用価値（税用残額）の大きさとの差を報知する必要間接税用価値報知手段（表示部３１４、金額表示部５０７）を備える。
【０１０６】
本発明の請求項５は、前記間接税率記憶手段（システムコントローラ１００）に記憶されている間接税率（消費税率）を特定可能な情報を設定変更するための設定変更手段（システムコントローラ１００、税金設定画面）を備える。
【０１０７】
本発明の請求項６は、前記遊技用記録媒体（会員カード、ビジターカード）を受付けて、該受付けた遊技用記録媒体（会員カード、ビジターカード）に記録されている遊技用価値特定情報（（会員）カードＩＤ）から特定される遊技用価値（度数）の大きさの少なくとも一部に相当する金額の貨幣を払出すとともに、該受付けた遊技用記録媒体（会員カード、ビジターカード）に記録されている間接税用価値特定情報（（会員）カードＩＤ）から特定される間接税用価値（税用残額）の大きさの少なくとも一部に相当する金額の貨幣を払出す精算処理を行う精算手段（精算装置４００）を備える。
【０１０８】
本発明の請求項７は、前記間接税用価値減算手段（システムコントローラ１００）により減算された間接税用価値（税用残額）の大きさを集計する集計手段（システムコントローラ１００）と、該集計された間接税用価値（徴収消費税総額）の大きさを遊技場外に設置された管理機関（カード管理会社）に出力するための出力手段（第２の通信インターフェィス１０５）と、を備える。
【０１０９】
【発明の効果】
本発明は次の効果を奏する。
（ａ）請求項１の発明によれば、間接税用価値減算手段により、遊技に使用される遊技用価値の大きさに対応する間接税額が相当する間接税用価値の大きさが前記間接税用価値特定情報より特定される間接税用価値の大きさから減算更新されるとともに、該間接税用価値特定情報より特定される間接税用価値の大きさが、算出された間接税用価値の大きさ以上であることを条件として遊技使用処理が行われるので、間接税用価値減算手段による間接税用価値の減算が不能となることが回避されるために間接税を確実に徴収できるばかりか、間接税用価値加算手段を備えることで間接税用価値を予め加算（入金）しておくことができることから、遊技用価値加算処理に際して少額貨幣を別途投入する必要がなく、これら間接税の回収に伴う遊技者や遊技場の面倒を解消することができる。
【０１１０】
（ｂ）請求項２の発明によれば、間接税用価値の大きさが算出された間接税用価値の大きさ未満であるために遊技使用処理が行われないことを遊技者に確実に認識させることができる。
【０１１１】
（ｃ）請求項３の発明によれば、間接税用価値減算手段により、遊技に使用される遊技用価値の大きさに対応する間接税額が相当する間接税用価値の大きさが間接税用価値特定情報より特定される間接税用価値の大きさから減算更新されるとともに、該間接税用価値特定情報より特定される間接税用価値の大きさが、算出された遊技用価値加算処理に供される遊技用価値の大きさに対応する間接税用価値の大きさ以上であることを条件として遊技用価値加算処理が行われるので、間接税用価値減算手段による間接税用価値の減算が不能となることが回避されるために間接税を確実に徴収できるばかりか、間接税用価値加算手段を備えることで間接税用価値を予め加算（入金）しておくことができることから、遊技用価値加算処理に際して少額貨幣を別途投入する必要がなく、これら間接税の回収に伴う遊技者や遊技場の面倒を解消することができる。
【０１１２】
（ｄ）請求項４の発明によれば、遊技用価値加算処理に必要な間接税用価値が不足していることに加えて、該不足している間接税用価値の大きさを遊技者に確実に認識させることができる。
【０１１３】
（ｅ）請求項５の発明によれば、間接税率が変更されても、設定変更手段にて間接税率を特定可能な情報を適宜に変更できるため、間接税率の変化にも対応することができる。
【０１１４】
（ｆ）請求項６の発明によれば、遊技者は、遊技用記録媒体に残存する遊技用価値の大きさ並びに間接税用価値の大きさを貨幣に戻すことができるようになり、遊技者の利便性、特には、再度当該遊技場に来場する予定のない遊技者の利便性を向上できる。
【０１１５】
（ｇ）請求項７の発明によれば、遊技場にて徴収された間接税用価値の大きさが管理機関により管理されるようになるため、脱税防止を図ることができる。
【図面の簡単な説明】
【図１】本発明の実施例１における遊技用システムの構成を示す図である。
【図２】本発明の実施例１において用いたパチンコ機並びにカードユニットの正面図である。
【図３】本発明の実施例１におけるカードユニットの構成を示すブロック図である。
【図４】本発明の実施例１において用いた入金機を示す外観斜視図である。
【図５】本発明の実施例１において用いた入金機の構成を示すブロック図である。
【図６】本発明の実施例１において用いた精算装置を示す外観斜視図である。
【図７】本発明の実施例１において用いた精算装置の構成を示すブロック図である。
【図８】本発明の実施例１におけるシステムコントローラの構成を示すブロック図である。
【図９】本発明の実施例１におけるシステムコントローラに表示される税金設定画面を示す図である。
【図１０】本発明の実施例１に用いたシステムコントローラにおけるカード管理データベースを示す図である。
【図１１】本発明の実施例１に用いたシステムコントローラにおける使用履歴テーブルを示す図である。
【図１２】本発明の実施例１に用いたカードユニットの処理内容を示すフロー図である。
【図１３】本発明の実施例２に用いたカードユニットの処理内容を示すフロー図である。
【符号の説明】
３        カードユニット
１００    システムコントローラ
１０５    通信インターフェィス
３１４    表示部
４００    精算装置
５００    入金機
５０７    金額表示部
【図１】
2004344548.tif 000003
【図２】
2004344548.tif 000004
【図３】
2004344548.tif 000005
【図４】
2004344548.tif 000006
【図５】
2004344548.tif 000007
【図６】
2004344548.tif 000008
【図７】
2004344548.tif 000009
【図８】
2004344548.tif 000010
【図９】
2004344548.tif 000011
【図１０】
2004344548.tif 000012
【図１１】
2004344548.tif 000013
【図１２】
2004344548.tif 000014
【図１３】
2004344548.tif 000015